【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
ビデオ復号プロセスにおいてループフィルタパラメータを復号する方法であって、
ループフィルタリングプロセスを実行するためにコードブックを使用するか否かを示す指示を受信することと、前記ループフィルタリングプロセスはサンプル適応オフセット（ＳＡＯ）又は適応ループフィルタ（ＡＬＦ）であり、前記コードブックは複数のエントリーを含み、前記コードブック中の前記エントリーの各々が前記ループフィルタリングプロセスに対するループフィルタパラメータのセットを備え、前記ループフィルタパラメータはＳＡＯオフセット値又はＡＬＦ係数を備え、前記コードブックがビデオデータの１つ以上のブロックに対して適用可能である、
前記指示が前記コードブックを使用することを示す場合に、
前記コードブックに特定のエンティテイを定義する１つ以上のシンタックス要素を受信することと、
受信した前記１つ以上のシンタックス要素に基づいて前記コードブックからループフィルタパラメータの前記特定のエントリーを検索することと、
受信された前記指示及び検索された前記１つ以上のシンタックス要素に基づいて、ビデオデータの前記１つ以上のブロックに対する前記ループフィルタリングプロセスを実行することとを備える、方法。
【請求項２】
前記コードブックがビデオデータの前記１つ以上のブロックに対する前記ＳＡＯフィルタを実行するために使用されるべきであることを前記指示が示し、前記指示を受信することが、スライスヘッダ、適応パラメータセット（ＡＰＳ）、シーケンスパラメータセット（ＳＰＳ）、及びピクチャパラメータセット（ＰＰＳ）の１つ以上において前記指示を受信することと、スライスデータ、スライスヘッダ、ＡＰＳ、ＳＰＳ、及びＰＰＳの１つ以上において前記コードブックを受信することを備える、請求項１に記載の方法。
【請求項３】
前記コードブックがビデオデータの前記１つ以上のブロックに対して前記ＳＡＯフィルタを実行するために使用されるべきではないことを前記指示が示し、
ビデオデータの前記１つ以上のブロックとともに使用するための追加のループフィルタパラメータセットを受信することと、
前記コードブックの代わりに、前記受信された追加のループフィルタパラメータを使用して前記ループフィルタリングプロセスを実行することとを更に備える、請求項１に記載の方法。
【請求項４】
前記コードブックに対する追加のエントリーとして、前記受信された追加のループフィルタパラメータセットを追加することを更に備える、請求項１に記載の方法。
【請求項５】
前記コードブックが第１のコードブックであり、前記第１のコードブックが、スケーラブルビデオデータの基本レイヤにおけるビデオデータの前記１つ以上のブロックに対応し、
前記第１のコードブックからビデオデータの１つ以上の強化レイヤに対する第２のコードブックを予測することを更に備える、請求項１に記載の方法。
【請求項６】
前記コードブックが、スケーラブルビデオデータの基本レイヤにおけるビデオデータの前記１つ以上のブロックに対応し、
ビデオデータの１つ以上の強化レイヤに対して前記コードブックを再使用することを更に備える、請求項１に記載の方法。
【請求項７】
前記コードブックが第１のコードブックであり、前記第１のコードブックが、マルチビュービデオデータの基本ビューにおけるビデオデータの前記１つ以上のブロックに対応し、
前記第１のコードブックからマルチビュービデオデータの１つ以上の追加のビューに対する第２のコードブックを予測することを更に備える、請求項１に記載の方法。
【請求項８】
前記コードブックが、マルチビュービデオデータの基本ビューにおけるビデオデータの前記１つ以上のブロックに対応し、
マルチビュービデオデータの１つ以上の追加のビューに対して前記コードブックを再使用することを更に備える、請求項１に記載の方法。
【請求項９】
ビデオ符号化処理においてループフィルタパラメータを符号化する方法であって、
ループフィルタリングプロセスにおいて使用するためのループフィルタパラメータの特定のセットを決定することと、ここにおいて前記ループフィルタリングプロセスはサンプル適応オフセット（ＳＡＯ）又は適応ループフィルタ（ＡＬＦ）であり、
ループフィルタパラメータの前記特定のセットがコードブックに記憶されるか否かを示す指示を信号伝達することと、前記コードブックが複数のエントリーを含み、前記コードブック中の前記エントリーの各々が前記ループフィルタリングプロセスに対するループフィルタパラメータのセットを備え、前記ループフィルタパラメータはＳＡＯオフセット値又はＡＬＦ係数を備え、前記コードブックがビデオデータの１つ以上のブロックに対して適用可能である、
ループフィルタパラメータの前記特定のセットに基づいて、ビデオデータの前記１つ以上のブロックに対する前記ループフィルタリングプロセスを実行することと、
前記指示がループフィルタパラメータの前記特定のセットがコードブックに記憶されていることを示す場合に、
前記コードブック中のループパラメータの前記特定のセットのための前記エントリーを定義する１以上のシンタックス要素を信号伝達することと、
を備える、方法。
【請求項１０】
前記コードブックがビデオデータの前記１つ以上のブロックに対する前記ＳＡＯフィルタを実行するために使用されるべきであることを前記指示が示し、前記指示を信号伝達することが、スライスヘッダ、適応パラメータセット（ＡＰＳ）、シーケンスパラメータセット（ＳＰＳ）、及びピクチャパラメータセット（ＰＰＳ）の１つ以上において前記指示を信号伝達することを備える、請求項９に記載の方法。
【請求項１１】
前記コードブックがビデオデータの前記１つ以上のブロックに対して前記ＳＡＯフィルタを実行するために使用されるべきではないことを前記指示が示し、
ビデオデータの前記１つ以上のブロックとともに使用するための追加のループフィルタパラメータセットを信号伝達することを更に備える、請求項９に記載の方法。
【請求項１２】
前記コードブックが第１のコードブックであり、前記第１のコードブックが、スケーラブルビデオデータの基本レイヤにおけるビデオデータの前記１つ以上のブロックに対応し、
前記第１のコードブックからビデオデータの１つ以上の強化レイヤに対する第２のコードブックを予測することを更に備える、請求項９に記載の方法。
【請求項１３】
前記コードブックが第１のコードブックであり、前記第１のコードブックが、マルチビュービデオデータの基本ビューにおけるビデオデータの前記１つ以上のブロックに対応し、
前記第１のコードブックからマルチビュービデオデータの１つ以上の追加のビューに対する第２のコードブックを予測することを更に備える、請求項９に記載の方法。
【請求項１４】
請求項１〜８又は９〜１３のいずれか１項に記載の方法を実行するための手段を備える装置。
【請求項１５】
実行されると、装置の１つ以上のプロセッサに請求項１〜８又は９〜１３のいずれか１項に記載の方法を実行させる命令を記憶するコンピュータ可読記憶媒体。
【手続補正２】
【補正対象書類名】明細書
【補正対象項目名】０１４１
【補正方法】変更
【補正の内容】
【０１４１】
[0139]様々な例が説明されてきた。これら及び他の例は、以下の特許請求の範囲内に入る。
以下に本件出願当初の特許請求の範囲に記載された発明を付記する。
［１］  ビデオ復号プロセスにおいてループフィルタパラメータを復号する方法であって、ループフィルタリングプロセスを実行するためにコードブックを使用するか否かを示す指示を受信することと、前記コードブックは複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能である、受信された前記指示に基づいて、ビデオデータの前記１つ以上のブロックに対する前記ループフィルタリングプロセスを実行することとを備える、方法。
［２］  前記コードブック中の特定のエントリーを定義する１つ以上のシンタックス要素を受信することと、受信された前記１つ以上のシンタックス要素に基づいて、前記コードブックからループフィルタパラメータの前記特定のエントリーを取り出すことと、受信された前記指示及び前記取り出されたループフィルタパラメータに基づいて、ビデオデータの前記１つ以上のブロックに対する前記ループフィルタリングプロセスを実行することとを更に備える、［１］に記載の方法。
［３］  前記ループフィルタリングプロセスが適応ループフィルタＡＬＦであり、前記ループフィルタパラメータがＡＬＦ係数を備える、［１］に記載の方法。
［４］  前記ループフィルタリングプロセスがサンプル適応オフセット（ＳＡＯ）フィルタであり、前記ループフィルタパラメータがＳＡＯオフセット値を備える、［１］に記載の方法。
［５］  前記コードブックがビデオデータの前記１つ以上のブロックに対する前記ＳＡＯフィルタを実行するために使用されるべきであることを前記指示が示し、前記指示を受信することが、スライスヘッダ、適応パラメータセット（ＡＰＳ）、シーケンスパラメータセット（ＳＰＳ）、及びピクチャパラメータセット（ＰＰＳ）の１つ以上において前記指示を受信することを備える、［４］に記載の方法。
［６］  スライスデータ、スライスヘッダ、ＡＰＳ、ＳＰＳ、及びＰＰＳの１つ以上において前記コードブックを受信することを更に備える、［５］に記載の方法。
［７］  前記コードブックがビデオデータの前記１つ以上のブロックに対して前記ＳＡＯフィルタを実行するために使用されるべきではないことを前記指示が示し、ビデオデータの前記１つ以上のブロックとともに使用するための追加のループフィルタパラメータセットを受信することと、前記コードブックの代わりに、前記受信された追加のループフィルタパラメータを使用して前記ループフィルタリング処理を実行することとを更に備える、［４］に記載の方法。
［８］  前記コードブックに対する追加のエントリーとして、前記受信された追加のループフィルタパラメータセットを追加することを更に備える、［４］に記載の方法。
［９］  前記コードブックが第１のコードブックであり、前記第１のコードブックが、スケーラブルビデオデータの基本レイヤにおけるビデオデータの前記１つ以上のブロックに対応し、前記第１のコードブックからビデオデータの１つ以上の強化レイヤに対する第２のコードブックを予測することを更に備える、［１］に記載の方法。
［１０］  前記コードブックが、スケーラブルビデオデータの基本レイヤにおけるビデオデータの前記１つ以上のブロックに対応し、ビデオデータの１つ以上の強化レイヤに対して前記コードブックを再使用することを更に備える、［１］に記載の方法。
［１１］  前記コードブックが第１のコードブックであり、前記第１のコードブックが、マルチビュービデオデータの基本ビューにおけるビデオデータの前記１つ以上のブロックに対応し、前記第１のコードブックからマルチビュービデオデータの１つ以上の追加のビューに対する第２のコードブックを予測することを更に備える、［１］に記載の方法。
［１２］  前記コードブックが、マルチビュービデオデータの基本ビューにおけるビデオデータの前記１つ以上のブロックに対応し、マルチビュービデオデータの１つ以上の追加のビューに対して前記コードブックを再使用することを更に備える、［１］に記載の方法。
［１３］  前記コードブックによって定義される前記複数のエントリーの１つ以上の各々が、固定長のコードワードと、単位コードワードと、指数ゴロムコードワードとのうちの１つを備える、［１］に記載の方法。
［１４］  ビデオ符号化処理においてループフィルタパラメータを符号化する方法であって、ループフィルタリングプロセスにおいて使用するためのループフィルタパラメータの特定のセットを決定することと、ループフィルタパラメータの前記特定のセットがコードブックに記憶されるか否かを示す指示を信号伝達することと、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能である、ループフィルタパラメータの前記特定のセットに基づいて、ビデオデータの前記１つ以上のブロックに対する前記ループフィルタリングプロセスを実行することとを備える、方法。
［１５］  前記コードブック中のループフィルタパラメータの前記特定のセットに対する前記エントリーを定義する、１つ以上のシンタックス要素を信号伝達することを更に備える、［１４］に記載の方法。
［１６］  前記ループフィルタリングプロセスが適応ループフィルタＡＬＦであり、前記ループフィルタパラメータがＡＬＦ係数を備える、［１４］に記載の方法。
［１７］  前記ループフィルタリングプロセスがサンプル適応オフセット（ＳＡＯ）フィルタであり、前記ループフィルタパラメータがＳＡＯオフセット値を備える、［１４］に記載の方法。
［１８］  前記コードブックがビデオデータの前記１つ以上のブロックに対する前記ＳＡＯフィルタを実行するために使用されるべきであることを前記指示が示し、前記指示を信号伝達することが、スライスヘッダ、適応パラメータセット（ＡＰＳ）、シーケンスパラメータセット（ＳＰＳ）、及びピクチャパラメータセット（ＰＰＳ）の１つ以上において前記指示を信号伝達することを備える、［１７］に記載の方法。
［１９］  スライスデータ、スライスヘッダ、ＡＰＳ、ＳＰＳ、及びＰＰＳの１つ以上において前記コードブックを信号伝達することを更に備える、［１８］に記載の方法。
［２０］  前記コードブックがビデオデータの前記１つ以上のブロックに対して前記ＳＡＯフィルタを実行するために使用されるべきではないことを前記指示が示し、ビデオデータの前記１つ以上のブロックとともに使用するための追加のループフィルタパラメータセットを信号伝達することを更に備える、［１７］に記載の方法。
［２１］  前記コードブックに対する追加のエントリーとして、前記追加のループフィルタパラメータセットを追加することを更に備える、［１７］に記載の方法。
［２２］  前記コードブックが第１のコードブックであり、前記第１のコードブックが、スケーラブルビデオデータの基本レイヤにおけるビデオデータの前記１つ以上のブロックに対応し、前記第１のコードブックからビデオデータの１つ以上の強化レイヤに対する第２のコードブックを予測することを更に備える、［１４］に記載の方法。
［２３］  前記コードブックが、スケーラブルビデオデータの基本レイヤにおけるビデオデータの前記１つ以上のブロックに対応し、ビデオデータの１つ以上の強化レイヤに対して前記コードブックを再使用することを更に備える、［１４］に記載の方法。
［２４］  前記コードブックが第１のコードブックであり、前記第１のコードブックが、マルチビュービデオデータの基本ビューにおけるビデオデータの前記１つ以上のブロックに対応し、前記第１のコードブックからマルチビュービデオデータの１つ以上の追加のビューに対する第２のコードブックを予測することを更に備える、［１４］に記載の方法。
［２５］  前記コードブックが、マルチビュービデオデータの基本ビューにおけるビデオデータの前記１つ以上のブロックに対応し、マルチビュービデオデータの１つ以上の追加のビューに対して前記コードブックを再使用することを更に備える、［１４］に記載の方法。
［２６］  前記コードブックによって定義される前記複数のエントリーの１つ以上の各々が、固定長のコードワードと、単位コードワードと、指数ゴロムコードワードとのうちの１つを備える、［１４］に記載の方法。
［２７］  ビデオデコーダを備え、ビデオ復号プロセスにおいてループフィルタパラメータを復号するように構成される装置であって、前記ビデオデコーダが、  ループフィルタリングプロセスを実行するためにコードブックを使用するか否かを示す指示を受信し、このとき、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能であり、  受信された前記指示に基づいて、ビデオデータの前記１つ以上のブロックに対する前記ループフィルタリングプロセスを実行する
ように構成される、装置。
［２８］  前記ビデオデコーダが更に、前記コードブック中の特定のエントリーを定義する１つ以上のシンタックス要素を受信し、受信された前記１つ以上のシンタックス要素に基づいて、前記コードブックからループフィルタパラメータの前記特定のエントリーを取り出し、受信された前記指示及び前記取り出されたループフィルタパラメータに基づいて、ビデオデータの前記１つ以上のブロックに対する前記ループフィルタリングプロセスを実行するように構成される、［２７］に記載の装置。
［２９］  前記ループフィルタリングプロセスが適応ループフィルタＡＬＦであり、前記ループフィルタパラメータがＡＬＦ係数を備える、［２７］に記載の装置。
［３０］  前記ループフィルタリングプロセスがサンプル適応オフセット（ＳＡＯ）フィルタであり、前記ループフィルタパラメータがＳＡＯオフセット値を備える、［２７］に記載の装置。
［３１］  前記コードブックがビデオデータの前記１つ以上のブロックに対する前記ＳＡＯフィルタを実行するために使用されるべきであることを前記指示が示し、前記ビデオデコーダが更に、スライスヘッダ、適応パラメータセット（ＡＰＳ）、シーケンスパラメータセット（ＳＰＳ）、及びピクチャパラメータセット（ＰＰＳ）の１つ以上において前記指示を受信するように構成される、［３０］に記載の装置。
［３２］  前記ビデオデコーダが更に、スライスデータ、スライスヘッダ、ＡＰＳ、ＳＰＳ、及びＰＰＳの１つ以上において前記コードブックを受信するように構成される、［３１］に記載の装置。
［３３］  前記コードブックがビデオデータの前記１つ以上のブロックに対して前記ＳＡＯフィルタを実行するために使用されるべきではないことを前記指示が示し、前記ビデオデコーダが更に、ビデオデータの前記１つ以上のブロックとともに使用するための追加のループフィルタパラメータセットを受信し、前記コードブックの代わりに、受信された前記追加のループフィルタパラメータを使用して前記ループフィルタリング処理を実行するように構成される、［３０］に記載の装置。
［３４］  前記ビデオデコーダが更に、前記コードブックに対する追加のエントリーとして、受信された前記追加のループフィルタパラメータセットを追加するように構成される、［３０］に記載の装置。
［３５］  前記コードブックが第１のコードブックであり、前記第１のコードブックが、スケーラブルビデオデータの基本レイヤにおけるビデオデータの前記１つ以上のブロックに対応し、前記ビデオデコーダが更に、前記第１のコードブックからビデオデータの１つ以上の強化レイヤに対する第２のコードブックを予測するように構成される、［２７］に記載の装置。
［３６］  前記コードブックが、スケーラブルビデオデータの基本レイヤにおけるビデオデータの前記１つ以上のブロックに対応し、前記ビデオデコーダが更に、ビデオデータの１つ以上の強化レイヤに対して前記コードブックを再使用するように構成される、［２７］に記載の装置。
［３７］  前記コードブックが第１のコードブックであり、前記第１のコードブックが、マルチビュービデオデータの基本ビューにおけるビデオデータの前記１つ以上のブロックに対応し、前記ビデオデコーダが更に、前記第１のコードブックからマルチビュービデオデータの１つ以上の追加のビューに対する第２のコードブックを予測するように構成される、［２７］に記載の装置。
［３８］  前記コードブックが、マルチビュービデオデータの基本ビューにおけるビデオデータの前記１つ以上のブロックに対応し、前記ビデオデコーダが更に、マルチビュービデオデータの１つ以上の追加のビューに対して前記コードブックを再使用するように構成される、［２７］に記載の装置。
［３９］  前記コードブックによって定義される前記複数のエントリーの１つ以上の各々が、固定長のコードワードと、単位コードワードと、指数ゴロムコードワードとのうちの１つを備える、［２７］に記載の装置。
［４０］  ビデオエンコーダを備える、ビデオ符号化プロセスにおいてループフィルタパラメータを符号化するように構成される装置であって、前記ビデオエンコーダが、  ループフィルタリングプロセスにおいて使用するためのループフィルタパラメータの特定のセットを決定し、  ループフィルタパラメータの前記特定のセットがコードブックにおいて記憶されるか否かを示す指示を信号伝達し、このとき、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能であり、  ループフィルタパラメータの前記特定のセットに基づいて、ビデオデータの前記１つ以上のブロックに対する前記ループフィルタリングプロセスを実行する
ように構成される、装置。
［４１］  前記ビデオエンコーダが更に、前記コードブック中のループフィルタパラメータの前記特定のセットに対する前記エントリーを定義する、１つ以上のシンタックス要素を信号伝達するように構成される、［４０］に記載の装置。
［４２］  前記ループフィルタリングプロセスが適応ループフィルタＡＬＦであり、前記ループフィルタパラメータがＡＬＦ係数を備える、［４０］に記載の装置。
［４３］  前記ループフィルタリングプロセスがサンプル適応オフセット（ＳＡＯ）フィルタであり、前記ループフィルタパラメータがＳＡＯオフセット値を備える、［４０］に記載の装置。
［４４］  前記コードブックがビデオデータの前記１つ以上のブロックに対する前記ＳＡＯフィルタを実行するために使用されるべきであることを前記指示が示し、前記ビデオエンコーダが更に、スライスヘッダ、適応パラメータセット（ＡＰＳ）、シーケンスパラメータセット（ＳＰＳ）、及びピクチャパラメータセット（ＰＰＳ）の１つ以上において前記指示を信号伝達するように構成される、［４３］に記載の装置。
［４５］  前記ビデオエンコーダが更に、スライスデータ、スライスヘッダ、ＡＰＳ、ＳＰＳ、及びＰＰＳの１つ以上において前記コードブックを信号伝達するように構成される、［４４］に記載の装置。
［４６］  前記コードブックがビデオデータの前記１つ以上のブロックに対して前記ＳＡＯフィルタを実行するために使用されるべきではないことを前記指示が示し、前記ビデオエンコーダが更に、ビデオデータの前記１つ以上のブロックとともに使用するための追加のループフィルタパラメータセットを信号伝達するように構成される、［４３］に記載の装置。
［４７］  前記ビデオエンコーダが更に、前記コードブックに対する追加のエントリーとして、前記追加のループフィルタパラメータセットを追加するように構成される、［４３］に記載の装置。
［４８］  前記コードブックが第１のコードブックであり、前記第１のコードブックが、スケーラブルビデオデータの基本レイヤにおけるビデオデータの前記１つ以上のブロックに対応し、前記ビデオエンコーダが更に、前記第１のコードブックからビデオデータの１つ以上の強化レイヤに対する第２のコードブックを予測するように構成される、［４０］に記載の装置。
［４９］  前記コードブックが、スケーラブルビデオデータの基本レイヤにおけるビデオデータの前記１つ以上のブロックに対応し、前記ビデオエンコーダが更に、ビデオデータの１つ以上の強化レイヤに対して前記コードブックを再使用するように構成される、［４０］に記載の装置。
［５０］  前記コードブックが第１のコードブックであり、前記第１のコードブックが、マルチビュービデオデータの基本ビューにおけるビデオデータの前記１つ以上のブロックに対応し、前記ビデオエンコーダが更に、前記第１のコードブックからマルチビュービデオデータの１つ以上の追加のビューに対する第２のコードブックを予測するように構成される、［４０］に記載の装置。
［５１］  前記コードブックが、マルチビュービデオデータの基本ビューにおけるビデオデータの前記１つ以上のブロックに対応し、前記ビデオエンコーダが更に、マルチビュービデオデータの１つ以上の追加のビューに対して前記コードブックを再使用するように構成される、［４０］に記載の装置。
［５２］  前記コードブックによって定義される前記複数のエントリーの１つ以上の各々が、固定長のコードワードと、単位コードワードと、指数ゴロムコードワードとのうちの１つを備える、［４０］に記載の装置。
［５３］  ビデオ復号プロセスにおいてループフィルタパラメータを復号するように構成される装置であって、ループフィルタリングプロセスを実行するためにコードブックを使用するか否かを示す指示を受信するための手段と、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能である、受信された前記指示に基づいて、ビデオデータの前記１つ以上のブロックに対する前記ループフィルタリングプロセスを実行するための手段とを備える、装置。
［５４］  ビデオ符号化プロセスにおいてループフィルタパラメータを符号化するように構成される装置であって、ループフィルタリングプロセスにおいて使用するためのループフィルタパラメータの特定のセットを決定するための手段と、ループフィルタパラメータの前記特定のセットがコードブックに記憶されるか否かを示す指示を信号伝達するための手段と、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能である、ループフィルタパラメータの前記特定のセットに基づいて、ビデオデータの前記１つ以上のブロックに対する前記ループフィルタリングプロセスを実行するための手段とを備える、装置。
［５５］  実行されると、ビデオデータを復号するように構成された装置の１つ以上のプロセッサに、ループフィルタリングプロセスを実行するためにコードブックを使用するか否かを示す指示を受信させ、このとき、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能であり、受信された前記指示に基づいて、ビデオデータの前記１つ以上のブロックに対する前記ループフィルタリングプロセスを実行させる、命令を記憶した、コンピュータ可読記憶媒体。
［５６］  実行されると、ビデオデータを符号化するように構成された装置の１つ以上のプロセッサに、ループフィルタリングプロセスにおいて使用するためのループフィルタパラメータの特定のセットを決定させ、ループフィルタパラメータの前記特定のセットがコードブックに記憶されるか否かを示す指示を信号伝達させ、このとき、前記コードブックが複数のエントリーを含み、前記コードブック中の前記エントリーの各々が前記ループフィルタリングプロセスに対するループフィルタパラメータのセットを備え、前記コードブックがビデオデータの１つ以上のブロックに対して適用可能であり、ループフィルタパラメータの前記特定のセットに基づいて、ビデオデータの前記１つ以上のブロックに対する前記ループフィルタリングプロセスを実行させる、命令を記憶した、コンピュータ可読記憶媒体。